(57)【要約】【課題】プリンタ等の装置の外観を好みに応じて変更可能とする。【解決手段】プリンタのハウジング１２に、ドア１４がヒンジ５０、５２を介して開閉可能に取り付けられる。ドア１４にドア１６が取り外し可能に取り付けられる。装飾シート８０をプリンタで印刷して輪郭をカットし、これをドア１６とドア１４との間に形成される隙間に挿入することができる。ドア１６は透明であり、このドア１６を通して、装飾シート８０の上面８２に印刷された装飾８４を観ることができる。【選択図】　　図２
2004031955.tif 000002
【特許請求の範囲】
【請求項１】
第１のドアと、
観覧部を有する正面を含む第２のドアとを備え、
前記第１のドアは、前記第２のドアに接続されており、
前記第１のドアおよび前記第２のドアは、前記第１のドアと前記第２のドアとの間にシートの少なくとも一部を保持可能なスペースを形成することを特徴とするパネル。
【請求項２】
前記第２のドアの前記観覧部は、実質的に透明、つや消し、または不透明であることを特徴とする請求項１に記載のパネル。
【請求項３】
前記観覧部は、前記第２のドアの前記正面の略全体を含むことを特徴とする請求項２に記載のパネル。
【請求項４】
前記正面は、複数の観覧部を含むことを特徴とする請求項１に記載のパネル。
【請求項５】
前記第２のドアは、実質的に剛性を有し、ポリマーで形成されることを特徴とする請求項１に記載のパネル。
【請求項６】
前記第１のドアは、前記第２のドアの対応する接続構造へ接続するための接続構造を含むことを特徴とする請求項１に記載のパネル。
【請求項７】
前記接続構造は、軸、穴、タブ、拡げ、リッジ、圧入構造、ホックまたはスナップを含むことを特徴とする請求項６に記載のパネル。
【請求項８】
前記第１のドアの一部は、前記第２のドアの一部に取り外し可能に接続されていることを特徴とする請求項１に記載のパネル。
【請求項９】
前記第２のドアおよび前記第１のドアは、湾曲部を含むことを特徴とする請求項１に記載のパネル。
【請求項１０】
装置の一部と係合するための構造を含むことを特徴とする請求項１に記載のパネル。
【請求項１１】
前記第１のドアおよび前記第２のドアは、一つの軸を中心とした略同軸の回転を可能にするように接続されていることを特徴とする請求項１に記載のパネル。
【請求項１２】
前記第１のドアおよび前記第２のドアは、前記第１のドアおよび前記第２のドアによって形成されるスペースの周りに少なくとも部分的にシールされた係合を含むように接続されていることを特徴とする請求項１に記載のパネル。
【請求項１３】
前記シールされた係合は、前記第１のドアと前記第２のドアとの間にテーパーロック接続を含むことを特徴とする請求項１２に記載のパネル。
【請求項１４】
前記シールされた係合は、少なくとも部分的に支持構造を形成することを特徴とする請求項１３に記載のパネル。
【請求項１５】
前記第１のドアおよび前記第２のドアは、切り欠き部を含むことを特徴とする請求項１に記載のパネル。
【請求項１６】
前記第１のドアと前記第２のドアとの間に配置されるシートを含むことを特徴とする請求項１に記載のパネル。
【請求項１７】
前記シートの一部は、前記第２のドアの前記観覧部を通して少なくとも部分的に見ることができることを特徴とする請求項１６に記載のパネル。
【請求項１８】
前記シートの片側または両側において、前記第１のドアおよび前記第２のドアは、前記シートの下方で接続され、さらに前記シートの上方で取り外し可能に接続されることを特徴とする請求項１６に記載のパネル。
【請求項１９】
前記第１のドアおよび前記第２のドアは、切り欠き部を含むことを特徴とする請求項１６に記載のパネル。
【請求項２０】
前記第１のドアおよび前記第２のドアは、前記シートを周囲の状態への露出から少なくとも部分的にシールすることを特徴とする請求項１８に記載のパネル。
【請求項２１】
第１のドアと、
ポリマーからなる第２のドアであって、接続端部と、実質的に剛性がありかつ実質的に透明な観覧部とを含み、前記第１のドアが前記第２のドアの前記接続端部に回転可能に接続される、第２のドアと、
上面および装飾を有するシートであって、前記第１のドアと前記第２のドアとの間に位置し、前記装飾は、前記第２のドアの前記観覧部を通して少なくとも部分的に見ることができる、シートと、
を備えており、
前記第１のドアおよび前記第２のドアは、周囲の状態から前記シートを少なくとも部分的にシールすることを特徴とするパネル。
【請求項２２】
第１のドアと、
観覧部を含む第２のドアとを備えており、
前記第１のドアは、前記第１のドアを前記第２のドアに接続するための手段を含み、
さらに、前記第１のドアおよび前記第２のドアは、前記第２のドアの前記観覧部と前記第１のドアとの間にシートを配置するための手段を含むことを特徴とするパネル。
【請求項２３】
覆われる部分を含む本体部と、
前記覆われる部分を覆うパネルとを備え、前記パネルは、第１のドアと、観覧部を備えた第２のドアとを含んでおり、
前記第１のドアおよび前記第２のドアは、互いに接続され、前記第１のドアと前記第２のドアとの間にシートを保持するスペースを形成することを特徴とする装置。
【請求項２４】
前記パネルは、前記本体部に接続するための接続部を含むことを特徴とする請求項２３に記載の装置。
【請求項２５】
前記接続部は、前記第１のドアまたは前記第２のドアと一体に形成されていることを特徴とする請求項２４に記載の装置。
【請求項２６】
前記接続部は構造を含み、前記本体は、前記構造用の収容部を含むことを特徴とする請求項２４に記載の装置。
【請求項２７】
前記パネルは、前記パネルを前記本体部に取り外し可能に接続するための手段を含むことを特徴とする請求項２３に記載の装置。
【請求項２８】
前記第１のドアと前記第２のドアとの間に位置するシートを含んでおり、前記シートの一部は、前記第２のドアの前記観覧部を通して少なくとも部分的に見ることができることを特徴とする請求項２３に記載の装置。
【請求項２９】
前記第１のドアおよび前記第２のドアは、前記シートの周囲に少なくとも部分的なシールを形成することを特徴とする請求項２８に記載の装置。
【請求項３０】
第１のドアと、実質的に剛性を有する観覧部を備えた第２のドアとを含むパネルを設けることと、
シートを設けることと、
前記第１のドアと前記第２のドアとの間に前記シートを配置することであって、前記シートの一部は、前記第２のドアの前記観覧部を通して見ることができるように配置することと、
前記第１のドアを前記第２のドアに接続することであって、それによって、前記第１のドアと前記第２のドアとの間に前記シートを保持するようにすることと、
前記パネルを前記装置の本体部に接続することとを含むことを特徴とする方法。
【請求項３１】
本体部、および第１のドアと実質的に剛性を有する観覧部を備えた第２のドアとを含むパネルを備えた装置を設けることと、
シートを設けることと、
前記第１のドアと前記第２のドアとの間に前記シートを配置することであって、前記シートの一部は、前記第２のドアの前記観覧部を通して見ることができるように配置することと、
前記第１のドアを前記第２のドアに接続することであって、それによって、前記第１のドアと前記第２のドアとの間に前記シートを保持するようにすることと、
前記パネルを前記装置の前記本体部に接続することとを含むことを特徴とする方法。
【請求項３２】
前記シートを前記装置によって少なくとも部分的に生成または変更することを含むことを特徴とする請求項３１に記載の方法。
【請求項３３】
前記シートを、前記第１のドアと前記第２のドアとの間に設けられるスペースに適合するように変更することを含むことを特徴とする請求項３１に記載の方法。
【請求項３４】
前記シートは、前記シート中の除去する部分を識別する除去ラインまたはパーフォレーションを含むことを特徴とする請求項３３に記載の方法。
【請求項３５】
前記シートの外観は、ソフトウェアによって生成されることを特徴とする請求項３１に記載の方法。
【請求項３６】
前記ソフトウェアは、前記第２のドアの前記観覧部を通して見られる前記シート上に生成される外観を制御することを特徴とする請求項３５に記載の方法。
【発明の詳細な説明】
【０００１】
【発明の属する技術分野】
本発明は、パーソナルプリンタなどの周辺装置に関し、特に、再構成（外観変更）可能なパネル、アセンブリおよび方法に関する。
【０００２】
【関連特許出願】
本願は、２００１年１０月２６日付けで提出された先行出願第１０／０１４，９４２号の一部継続出願であり、先行出願に提示されているものに開示内容を追加し、請求している。
【０００３】
【従来の技術】
パーソナルプリンタなどの周辺装置は、近年、普及している。このような装置の多くは、外観がかなり統一的であり、色は鈍いベージュまたはグレーのいずれかである。特に、創造性および価値の個性を理解するユーザにとっては、これらの装置は、美的には、魅力がなく、退屈でさえある。
【０００４】
装置の製造業者の中には、特定の装置の特別のバージョンを製造することによって、装置の外観に活気を吹き込む試みを行っているものもある。たとえば、１９９９年、Ｔｅｋｔｒｏｎｉｘ，　Ｉｎｃ．は、その標準的なＰｈａｓｅｒ（登録商標）８４０カラーインクジェットプリンタの「デザイナー版」を製造した。標準８４０プリンタは、通常のベージュの成形プラスチックハウジングを用いていた。しかし、「デザイナー版」は、人目を引き付けるアイシーブルー色の透明なハウジングを特徴としており、同様の透明なブルー色のハウジングを有するＰｏｗｅｒ　Ｍａｃｉｎｔｏｓｈ（登録商標）Ｇ３コンピュータと合うように設計された。
【０００５】
【発明が解決しようとする課題】
このような装置の特別または「デザイナー」バージョンの製造における欠点は、各バージョンが、一般に、別個のケースパーツ、非標準的な材料、特別の塗装、および／または他の高価な変更を必要とすることである。さらに、装置の特別に設計された各バージョンは、その装置に対する潜在的な市場の一部にのみ魅力があるだけで、ユーザは、それを容易に再構成（外観変更）することはできない。
【０００６】
本発明の目的は、とりわけ、ユーザによって変更、カスタマイズ、装飾、または簡単に再構成され得るパネルまたはドアを有する装置を提供することである。さらに、本発明の目的は、このようなパネルまたはドア、ならびに関連のアセンブリの外観を作成および変更するための比較的簡単で安価な方法を提供することである。
【０００７】
【課題を解決するための手段】
好ましい実施の形態において、第１のドアとビューイング部（観覧部）を有する第２のドアとが設けられる。第１のドアは第２のドアと接続され、第１のドアと第２のドアは協働して両方のドアの間に装飾を有するシートを保持するのに適したスペースを形成する。装飾を有するシートは、ビューイング部（観覧部）を通して見ることができる。
【０００８】
【発明の実施の形態】
図１は、本発明の実施の形態に従って構成され得る、インクジェットプリンタなどの装置１０の実施の形態を例示する。本発明の他の実施の形態は、パネル（アクセスパネル等）、カバーまたはドアを有する他の様々なタイプの装置またはアセンブリにおいて具現化され、かつ／またはこれに関連して実施され得ることが理解されよう。このような装置としては、限定はしないが、電子写真プリンタ、ファックス機、多機能装置、コピー機、ビデオプリンタ、スキャナ装置等が含まれ得る。
【０００９】
例示する装置１０は、好ましくはプラスチック材料で形成された本体部すなわちハウジング１２を有する。ハウジング１２は、本装置の少なくとも一部を覆い、さらに好ましくは、装置の動作構成要素を覆うかまたは略密閉する。たとえば、限定はしないが、インクジェットプリンタの場合、密閉される構成要素としては、往復作動するキャリッジ上に設けられたインクジェットプリントヘッド、媒体処理システム、ならびにプリントヘッド、キャリッジおよび媒体処理システム（図示せず）の動作を制御するコントローラおよび他の電子部品が含まれ得る。
【００１０】
図１および図２において示されるように、装置１０のパネル１１は、第１のドア１４および第２のドア１６を有する。本発明の好ましい実施の形態では、第１のドア１４は、装置１０に取り付けられるかまたは接続され、装置１０に関連する、覆う必要のある開口部やその他の部分を少なくとも部分的に覆う。しかし、パネル１１は、必ずしも開口部（アパーチャ）を覆うことに限定されず、モジュールパネル、記憶装置用コンパートメント、スイッチ、ボタンもしくは他の構成要素を保護するまたは覆うなど、他の目的のために、装置またはアセンブリに含まれていてもよいことが理解されよう。
【００１１】
第１のドア１４は、広範囲の材料から形成され得る。好ましい構成では、第１のドア１４は、プラスチックまたはポリマーからなる。第１のドア１４を形成するために用いられる許容可能な材料としては、限定はしないが、ＡＢＳまたは耐衝撃性ポリスチレンなどのスチレン樹脂が挙げられる。
【００１２】
好ましい実施の形態では、第１のドア１４は、（外側ドア１６に対して）「内側」ドアとして作用し、前縁部２０、前縁部２０に対向する後縁部２２、左縁部２４および左縁部２４に対向する右縁部２６を含む。所望により、縁部（たとえば、前縁部２０）は、媒体または他のものがハウジング１２へおよびハウジング１２から移動するための開口部を画定する、切り欠き部２８をさらに有し得る。
【００１３】
第２のドア１６は、（第１のドア１４に対して）「外側」ドアとして作用し、正面１８上にビューイング部（観覧部）１７を有する。正面１８は、好ましくは、第１および第２のドア１４、１６が接続されたとき、「正面を向いている（ｆａｃｅｓ）」すなわち観察者によって見られる外側ドア１６の全面を含む。好ましい実施の形態では、ビューイング部（観覧部）１７は、実質的に剛性があって透明で、第２のドア１６の前面１８の大半を含む。所望により、第２のドア１６のビューイング部（観覧部）１７は、第２のドア１６の正面１８の全体または実質的に全体を含み得るか、または正面１８の１つまたは複数のより小さな「窓」または透明なフレーム部などの、１つまたは複数のより小さなビューイング部（観覧部）を正面１８上に含み得る。たとえば、ピクチャー・フレーム（額縁）を模したいくつかのビューイング部（観覧部）を有することが可能である。本明細書で用いられる用語「透明な」は、ビューイング部（観覧部）１７によって覆われるまたはビューイング部（観覧部）１７の背後に位置するデザインまたは他の視覚的な特徴もしくは装飾の少なくとも一部をユーザが見るまたは観察できるレベルの透明度を指すものとする。同様の内容において、用語「実質的に剛性がある」、「実質的な剛性を有する」は、通常の動作条件下においてその形状を実質的に保持し得る物理構造を指すものとする。
【００１４】
第２のドア１６もまた、広範囲の材料から形成され得る。しかし、第２のドア１６は、好ましくは、関連の用途に対して必要なまたは所望の透明度および／または構造機能を提供することが可能な材料から形成される。好ましい実施の形態では、第２のドア１６は、プラスチックまたはポリマーからなり、より好ましくは、ポリカーボネート、アクリル樹脂、またはＡＢＳ、スチレン−アクリロニトリル（ＳＡＮ）もしくはポリスチレンなどのスチレン樹脂からなる。好ましくは、第２のドア１６を形成する材料は、所望のまたは許容可能なレベルの強度、靱性、ビューイング透明度、耐久性、および／または耐熱特性などの特徴を提供する。たとえば、特定の応用形態では、ビューイング部（観覧部）１７をできる限り「ガラス状」に形成することが望ましい。他の応用形態では、第２のドア１６のビューイング部（観覧部）１７は、つや消しにされるか、またはやや不透明に設計され得る。
【００１５】
好ましい実施の形態では、第２のドア１６は、前縁部３０、前縁部３０と対向する後縁部３２、左縁部３４および左縁部３４と対向する右縁部３６を有する。所望により、縁部（たとえば、前縁部３０）は、第１のドア１４の切り欠き部２８に略対応するノッチまたは切り欠き部３８を有し、関連のハウジング１２へおよびハウジング１２から媒体または他のアイテムが移動するための開口部を形成してもよい。
【００１６】
好ましくは、第１のドア１４および第２のドア１６は、それらの表面の少なくとも一部にわたって、さらに好ましくは、第２のドア１６の正面１８またはビューイング部（観覧部）１７の略全体にわたって類似した形状を有する。たとえば、例示されるような実施の形態では、第２のドア１６は、湾曲部を有し、第１のドア１４は、第２のドア１６の湾曲部と略一致するかまたは対応する湾曲部を有する。
【００１７】
図２および図３を参照すると、第２のドア１６は、第２のドア１６の湾曲方向の内側に突出するフラップすなわちリップ４０を有し得る。本実施の形態において図示されるように、リップ４０は、実質的に、第２のドア１６の前縁部３０、左縁部３４および右縁部３６に沿って延在し得る。所望により、リップ４０は、第２のドア１６に隣接した第１のドア１４を取り外し可能に固定するように構成してもよい。さらに、いずれかのドアは、ドア間の定位置に物体（たとえば、シート）を保持、支持または位置合わせするためのリップ、レッジ（ｌｅｄｇｅ）または同様の機構などの構造を有してもよい。
【００１８】
図１は、ハウジング１２上にパネル１１を形成するように組み立てられた第１のドア１４および第２のドア１６を有するアセンブリの形態の本発明の実施の形態を示す。もし、ユーザがハウジング１２内の構成要素にアクセスする必要がある場合、パネル１１は、たとえば、矢印Ａの方向に沿って上方に回転し得る。図２はまた、部分的に上方に回転する第１のドア１４を示す。本実施の形態では、第１のドア１４は、第１のヒンジ５０および第２のヒンジ５２によってハウジング１２に回転可能に接続されている。しかし、本発明は、このような特定の構成には限定されず、ハウジング１２への第１のドア１４（および／または第２のドア１６）の接続だけでなく、第１のドア１４と第２のドア１６との間のさらなる多くの接続形態が想定される。
【００１９】
ドア１４、１６は、好ましくは、１つまたは複数の端部または縁部に近接する１つまたは複数の位置で互いに取り付けまたは接続されている。たとえば、限定はしないが、ドア１４、１６は、対応する（相隣合う）それぞれの縁部において（またはこれに近接して）接続または取り付けられ得る。たとえば、ドア１４、１６は、それぞれの前縁部、それぞれの前縁部および後縁部、または対応する縁部の他の様々な組み合わせにおいて（もしくはこれに近接して）接続または取り付けられ得る。本実施の形態では、第２のドア１６は、それぞれの前縁部および後縁部の両方において、第１のドア１４に共に「スナップ留め」（いわゆるパチン留め）され得るかまたは取り外し可能に接続され得る。
【００２０】
図５は、装置１０に接続されてアセンブリを形成するパネル１１の実施の形態を示す。パネル１１は、第１のドア１４および第２のドア１６を有し、第２のドア１６が第１のドア１４に対して「開」位置にある状態に示されている。パネル１１のドア１４、１６は接続され、さらに、パネル１１は装置に接続されていることが好ましい。好ましい実施の形態では、パネル１１は装置１０に接続され、それによって、ドア１４、１６は、互いにまたは装置１０から完全に分離または分解される必要なく、少なくとも部分的に接続されたままで、（たとえば、装飾シートを挿入するために）互いに部分的に分離または「分割」され得る。
【００２１】
図６は、図５に示されるアセンブリと同様のアセンブリを例示し、第２のドア１６が第１のドア１４から物理的に分離されている状態を示す。また図６では、第１のドア１４が装置１０から部分的に分離されている場合が示されている。
【００２２】
ドア１４、１６は、好ましくは、互いに取り外し可能に固定されている。必要に応じて、第１のドア１４は、第１のドア１４の「上部」すなわち後縁部の取り付け部を装置１０の対応する部分から「ラッチを外し」すなわち解放し、第１のドア１４の後縁部を、たとえば、図１において矢印Ａによって示される方向に装置から上方に回転させることによって、装置１０から分離されるように構成され得る。さらに、所望により第２のドア１６は、第１のドア１４の装置１０との接続端と対向する端部において（またはこれに近接して）第１のドア１４に接続されるまたは取り付けられることが好ましく、この第２のドア１６は、装置１０に対して第１のドア１４の回転動作方向とは反対の方向に、第１のドア１４に対して下方に向かって回転され得る。
【００２３】
図７および図８は、パネル１１の実施の形態の断面図を示す。パネル１１は、装飾シート８０とともに、それぞれ「開」位置および「閉」（すなわち、組み上がった）状態で図示されている。好ましい実施の形態では、第１のドア１４および第２のドア１６は互いに、共通の端部（ドア１４、１６の前縁部２０、３０近傍）において回転可能に、または取り外し可能に、もしくはフレキシブル（弾性変形可能）に接続されている。
【００２４】
図７および図８に例示されているように、ドア１４、１６は、ピン−ホール（軸−穴）構成で接続され、実質的に共通の軸Ｚ（図５）を中心に、（同じまたはわずかに異なった程度に）それぞれ回転し得る。図５および図６にさらに例示されるように、第１のドア１４は、ピン５６などの一体形成され突出する取り付け構造を含み、第２のドアは、アパーチャすなわち穴５８などの対応する取り付け構造を含み得る。しかし、この構成はまた、たとえば、ピン５６が第２のドア１６の一部として含まれるかまたは形成され、対応する穴５８が第１のドア１４と共に形成されるようにも変更され得る。
【００２５】
図７に例示されるような好ましい実施の形態では、第２のドアの上部（または軸−穴接続部と対向するドアの部分）は、（クリップまたはタブなどの）構造７０を含み、この構造はさらに、（リブなどの）端部構造７２を含み得る。第１のドア１４は、好ましくは、構造７０を取り外し可能に収容して保持するための対応する収容構造７４を有し、端部構造７２と取り外し可能に接続される接触構造７６をさらに含み得る。
【００２６】
空気または他の要素への露出等から、ドア１４、１６の間に挿入されたシートまたは他の物体をさらに保護するために、これらのドアは接続されて、それらの間に形成されるスペースの周りに少なくとも部分的なシーリング係合を形成することが好ましい。たとえば、限定はしないが、シーリング係合は、第１のドアの面と第２のドアの面との間のテーパー形状、テーパーロック、または他の半シール／一体化相互接続によって達成され得る。さらに、シーリング係合を形成する１つまたはそれ以上のドアの表面はまた、ドア間の位置にシートまたは他の物体を部分的に支持するように用いられ得る。好ましい実施の形態では、ドア１４、１６間に形成されるスペースに対して形成されるシールは、このスペースに配設される媒体またはシートの側部の大半を実質的に覆う。
【００２７】
ドア１４、１６の間の接続は、図５〜図８に例示される構成とすることができるが、ドア１４、１６の間の接続は、特定の取り付け／接続様式、あるいは単一パネル１１への単一の取り付け方式や接続方式を用いることに限定されない。さらに、ドア１４、１６の間（またはパネル１１と装置１０との間）の接続は、一体的に構成された、あるいは別体に構成された構成要素（コンポーネント）を用いるものであってもよく、さらには、様々な形式の取り付け・接続方法を用いることができる。これらの方法としては、限定はしないが、軸−穴構造の接続、構成要素の弾性変形および復元性を利用した、「無理入れ」などとも称される拡げばめ（ｅｘｔｅｎｓｉｏｎ−ｆｉｔ）による接続、ホック様の接続、スナップ・フィット、スナップ・ロックによる接続、リッジ・プレス・フィット接続（嵌合しあう対の部品において、片方、あるいは両方の部品の嵌合部分に、突起や凹み［リッジ］を設け、組立時にその突起を弾性変形によって乗り越えるようにし、組立後に容易に外れないようにしたもの。）、あるいはその他、樹脂部品を接続・締結するための様々な方法を用いることができる。
【００２８】
以下にさらに詳細に説明するように、装飾シート８０は、第１のドア１４と第２のドア１６との間に位置し、パネル１１の外観を、そしてもし対応する装置またはアセンブリが存在する場合、それらをも含む外観をカスタマイズすることができる。例示される実施の形態では、第２のドア１６は、好ましくは、第１のドア１４に対して取り外し可能に固定され、ユーザが、装飾シート８０を容易に変更できるようにする。たとえば、図２および図３に示されるように、第２のドア１６は、第１のドア１４において、対応する第１のスロット６４および第２のスロット６６にそれぞれ取り外し可能にプレスフィットすることの可能な第１のタブ６０および第２のタブ６２を含み得る。同様に、図５〜図８に示されるように、第２のドアは、異なる様式で異なるタイプの接続構造を用いて取り付けられ、ビューイング部（観覧部）１７およびシート８０に関する同様のディスプレイを得ることができる。好都合なことに、ユーザは、第２のドア１６を第１のドア１４から取り外しまたは部分的に分離するだけで、装飾シート８０があればそれを除去し、異なる装飾シートを挿入することによって、パネル１１の外観を変更またはカスタマイズすることができる。
【００２９】
ここで図４を参照すると、可視装飾（ｖｉｓｉｂｌｅ　ｄｅｃｏｒａｔｉｏｎ）８４を備えた上面８２を有するサンプル装飾シート８０が示されている。アートワーク、画像、写真、図面等の様々な装飾が、装飾シート８０上で用いられ得ることは理解されよう。たとえば、図１に示されるように、限定はしないが、装飾シート８０は、装置１０に接続されたパネル１１に設置され得る。好ましい実施の形態では、シート８０は、シート８０の上面８２が第２のドア１６と隣接するように挿入され、所望の構成に従って、装飾８４のすべてまたは一部が、第２のドア１６のビューイング部（観覧部）１７を通して見られるように配置され得る。たとえば、ユーザは、第２のドア１６の透明なビューイング部（観覧部）１７の背後に装飾シート８０を配置し、上面８２を第２のドアと隣接するように位置合わせすることによって、装置１０に装飾を施すことができる。
【００３０】
好ましい実施の形態では、装飾シート８０の全体的な形状は、装飾シートが、たとえば図１および図３に示されるように、第２のドア１６の背後に設置されたとき第２のドア１６の形状に略一致する。さらに、シート８０の長さは、好ましくは、第２のドア１６の幅と略等しい。他の実施の形態では、装飾シートの左端と、装飾シートの右端との間の距離は、第２のドアの左端と、第２のドアの右端との間の距離と略等しい。
【００３１】
図４に例示されるような実施の形態では、装飾シート８０は、前端８１、前端８１に対向する後端８３、左端８５および左端８５と対向する右端８７を有する。好ましくは、前端８１と後端８３との間の距離は、第２のドア１６の前縁部３０と、第２のドア１６のビューイング部（観覧部）１７の後縁部３２との間の第２のドア１６のビューイング部（観覧部）１７の（たとえば、湾曲に沿った）距離と略等しい。また好ましくは、装飾シート８０の左端８５と装飾シート８０の右端８７との間の距離は、第２のドア１６のビューイング部（観覧部）１７の左縁部３４と、第２のドア１６のビューイング部（観覧部）１７の右縁部３６との間の距離と略等しい。所望により、第２のドア１６はまた、媒体がたとえばハウジング１２へおよびハウジング１２から移動するための開口部を形成する切り欠き部３８を含み得る。さらに図４を参照すると、装飾シート８０は、第２のドア１６内の切り欠き部３８と略一致するかまたは対応する前端８１に沿った切り欠き部８９を有し得る。
【００３２】
上記のように、第２のドア１６は、第２のドアの内側に向かって突出するリップ４０を含み得る。１つの実施の形態では、リップ４０は、第２のドア１６の前縁部３０、左縁部３４および右縁部３６に実質的に沿って延在する。図３を参照すると、リップ４０は、第２のドア１６に隣接した装飾シート８０を取り外し可能に配置するように作用し得る。
【００３３】
アセンブリの好ましい実施の形態では、装飾（可視装飾）８４は、装置１０によって装飾シート８０の上面８２にプリントすることができる。本発明の他の態様では、複数のまたは異なる装飾（のデータ）が、ＣＤ−ＲＯＭなどのメモリ・デバイスで供給され、装飾シート８０上にプリントするため、ユーザによって選択され得る。ユーザはまた、インターネット上のコンテンツ・プロバイダーなどのリモート・コンテンツ・ソースから装飾（のデータ）をダウンロードし得る。ユーザはまた、カスタム装飾を設計し、その装飾を装置１０を用いて装飾シート８０上にプリントし得る。あるいは、ユーザは、装置１０と別個に提供される（たとえば、購入される）または装置１０と共に提供される予めプリントされた装飾シートを用いてもよい。
【００３４】
図４に例示される装飾シート８０は、より大きな媒体シート９０の一部として示される。本発明の他の態様では、ユーザは、装飾シート８０の輪郭を形成する、媒体シート９０の所定の領域内に装飾８４をプリントし得る。１つの実施の形態では、装飾８４のプリントには、装飾シート８０の輪郭を形成する媒体シート上の輪郭またはカッティングガイドをプリントすることが含まれる。あるいは、カッティングガイドは、媒体シート９０上に予めプリントされ得る。次に、ユーザは、カッティングガイドに沿ってカットし、装飾シート８０を媒体シート９０から分離することができる。
【００３５】
他の実施の形態では、媒体シート９０は、装飾シート８０の輪郭を形成するパーフォレーション（ミシン目、目打）を含み得る。ユーザは、パーフォレーションによって形成され、装飾シート８０の形状の輪郭を形成する所定の領域内に装飾８４をプリントし得る。次に、ユーザは、装飾シート８０を媒体シート９０から分離（切り離し）することができる。
【００３６】
本発明の他の実施の形態は、パネル１１を再構成するための方法を含む。この方法は、第１のドア１４とビューイング部（観覧部）１７を備えた第２のドア１６とを含むパネル１１を設けることと、装飾シート８０を用意することと、シート８０を第１のドア１４と第２のドア１６との間に配置することであって、シート８０の一部は、第２のドア１６のビューイング部（観覧部）１７を通して見ることができるように配置することと、第１のドア１４を第２のドア１６に接続することであって、第１のドア１４と第２のドア１６との間でシート８０を保持および／または位置合わせするように接続することとを含む。アセンブリと共に対応する装置１０が含まれる場合には、パネル１１は、装置１０に取り外し可能に接続してもよい。さらに、シート８０を、シート８０が関連する装置によって作成、生成、または部分的に変更すること、およびソフトウェアによって生成される装飾を設けることが可能である。さらに、ソフトウェアは、第２のドア１６のビューイング部（観覧部）１７を通して見られるようにシート８０上に生成される外観を構成および／または位置合わせし得る。
【００３７】
特定の実施態様に応じて、本明細書内で網羅される概念による本発明の装置および方法に対して、特許請求の範囲内で、様々な他の同等の変更および置換がなされ得ることは明白である。本発明は、上記の好ましい実施の形態および代替の実施の形態を参照しながら特定的に示し説明したが、本明細書に記載される実施の形態に対して様々な代替が、併記特許請求の範囲に規定される発明の精神および範囲を逸脱せずに、本発明のこのような実施の形態を実施する際に用いられ得ることは当業者によって理解されるべきである。本発明の実施の形態の記載は、本明細書に記載される要素の新規かつ非自明な組み合わせをすべて含むものとして理解されるべきであり、特許請求の範囲は、これらの要素の新規かつ非自明の任意の組み合わせに対して本願または後願において提示され得る。上記の実施の形態は例示的であり、本願または後願において請求され得るすべての可能な組み合わせに対して、単一の特徴または要素は重要ではない。特許請求の範囲が、等価物の「１つの」または「第１の」要素を規定する場合、このような特許請求の範囲は、１つまたはそれ以上のこのような要素を導入することを含み、２つまたはそれ以上のそのような要素を必要とせず、また排除もしないことを理解されたい。
【図面の簡単な説明】
【図１】本発明の実施の形態の斜視図である。
【図２】装置によってプリントされている装飾シートを有する、図１の装置の分解図である。
【図３】第１のドア、装飾シートおよび第２のドアを示す図１の線３−３に沿った断面図である。
【図４】媒体シート上で具現化される装飾シートの実施の形態の平面図である。
【図５】本発明の他の実施の形態を含むアセンブリの斜視図である。
【図６】パネルが部分的に分解された、図５に示されるアセンブリと同様のアセンブリの斜視図である。
【図７】開いた状態の構成において装飾シートと共に示されるパネルの実施の形態の断面図である。
【図８】閉じた状態の構成における装飾シートと共に示されるパネルの実施の形態の断面図である。
【符号の説明】
１０　…　装置　　１１　…　パネル　　１２　…　ハウジング
１４　…　第１のドア　　１６　…　第２のドア
１７　…　ビューイング部（観覧部）
３０　…　前縁部　　３８　…　切り欠き部　　４０　…　リップ
５０　…　第１のヒンジ　５２　…　第２のヒンジ
５６　…　ピン（軸）　　５８　…　穴
６０、６２、７０　…　タブ　８０　…　装飾シート　　８４　…　装飾
９０　…　媒体シート
【図１】
2004031955.tif 000003
【図２】
2004031955.tif 000004
【図３】
2004031955.tif 000005
【図４】
2004031955.tif 000006
【図５】
2004031955.tif 000007
【図６】
2004031955.tif 000008
【図７】
2004031955.tif 000009
【図８】
2004031955.tif 000010